(57)【特許請求の範囲】
【請求項１】
中空支持体内に収納して支持される光コネクタの一端に、光通信網の光ケーブル終端部が接続され、前記光コネクタの他端が対向する前記中空支持体の側面に開口部が設けられて、前記開口部を跨いで可搬局のジャックが前記光コネクタの他端に接続されることによって光通信が可能となされ、前記開口部に可搬局のジャックが接続されてもされなくても開口部を塞ぐ開閉手段及び施錠手段がなされた開閉扉が取り付けられ、少なくとも前記中空支持体の外面に太陽電池パネルが取り付けられていることを特徴とする地点標。
【請求項２】
前記中空支持体には、前記太陽電池パネルの発生電力を蓄電する蓄電装置と、当該蓄電装置に蓄えられた電力を使って昼夜または夜間に自発光させる発光部とが具備されていることを特徴とする請求項１記載の地点標。
【請求項３】
前記発光部は、ルート標識などの文字又は記号が発光部表面に描出された内照式標識であることを特徴とする請求項１または２に記載の地点標。
【請求項４】
前記中空支持体内に、蓄電装置から出力する電力をＡＣ１００Ｖに変換させる制御部と、該制御部を介してＡＣ１００Ｖ電源が採り出せる電源コンセント、及び／又は商用電源が導かれてＡＣ１００Ｖ電源が採り出せる電源コンセントが具備されると共に、当該電源コンセントの接続部に対向する前記中空支持体の壁面に外部からの接続を抑制可能な電源蓋が取り付けられていることを特徴とする請求項１、２又は３のいずれか１項に記載の地点標。
【発明の詳細な説明】
【０００１】
【発明の属する技術分野】
本発明は、緊急災害時などに携行して通信情報を授受することができる、所謂可搬局を接続させて情報を授受する情報コンセントに関するものであって、詳しくは光通信の授受に好適な地点標に関する。
【０００２】
【従来の技術】
従来、この種の光通信の端末構造としては、例えば地面に立設された上面が開口可能な筒状支持体内部に、光ケーブルの終端部が地下から立ち上げられ、この終端部に可搬局と接続する光コネクタが取り付けられて支持体内に収納固定されて、蓋が被せられている。そして本施設を使用する際にはボルトを緩めて前記光コネクタ部を上方に引き上げ、光コネクタ部が露出した状態で可搬局と接続させるといったものがある。また特開平１０−９０５７３号公報の記載によると、地上に立設された支持体上部が分割面を境にして上下に分離可能となし、分割上面のキャップに格納保護された光端末のコンセント部が、前記キャップを上方に分離させたときにコンセント部を側面から覗かせて可搬局と接続するようになされ、使用中に雨が掛からないように、また使用しないときには鍵がかけられて、誰彼なしに使用できない構造になされたものがある。
【０００３】
【発明が解決しようとする課題】
しかしながら、前記従来技術は地上の低い位置に設けられたものであるので、積雪がひどくなると埋設してしまって使えなくなったり、或いは暴風雨などの災害時などには雨水が吹き込んだり又は冠水してしまって、正常に通信できなくなってしまうといった怖れがある。
【０００４】
また、緊急災害時などには、特に素早くその所在を確認して情報を交信する必要に迫られるが、かかる光通信の端末構造が光通信するためだけの施設であって、所轄の担当者しかその所在が判らず、また前記に示す路上に直接設けられていたり、背丈が低いためにその所在が不明瞭であり、特に夜間雨や雪が降るなど悪天候下になると、譬え所轄担当者であったとしてもその発見は容易にできなくなってしまう。まして他地区からの支援者がその情報コンセントを発見することは極めて困難となり、緊急を要する情報伝達が疎かになるといった重大な問題となる。更に停電してしまうと、通信手段や照明など電源を必要とする機器が使えなくなってしまう。
【０００５】
そこで、本発明は上記の如き問題を解決し、所定間隔に設置される地点標に、夜間でも容易に所在が判るように自発光させ、雨や雪による影響を受けることなく通信できると共に、ＡＣ１００Ｖ電源が採れるように、またいたずらによる受難を避けることができる地点標を提供せんとするものである。
【０００６】
【課題を解決するための手段】
上記目的を達成するために、本発明は次のような構成としている。即ちこの発明に係る地点標は、中空支持体内に収納して支持される光コネクタの一端に、光通信網の光ケーブル終端部が接続され、前記光コネクタの他端が対向する前記中空支持体の側面に開口部が設けられて、前記開口部を跨いで可搬局のジャックが前記光コネクタの他端に接続されることによって光通信が可能となされ、前記開口部に可搬局のジャックが接続されても、されなくても開口部を塞ぐ開閉手段及び施錠手段がなされた開閉扉が取り付けられ、少なくとも前記中空支持体の外面に太陽電池パネルが取り付けられていることを特徴とするものである。
【０００７】
本発明によれば、この地点標は主として幹線道路などの路側地帯などに、例えば５ｋｍ毎に一定間隔をおいて設置される距離標識であって、中空支持体内に収納して支持される光コネクタの一端に、地下に埋設されている光通信網の光ケーブル終端部が取り出されて接続され、また前記光コネクタの他端が対向する前記中空支持体の側面に開口部が設けられて、前記開口部を跨いで可搬局のジャックが前記光コネクタの他端に接続されることによって光通信が可能となされ、前記開口部に可搬局のジャックが接続されても、されなくても開口部を塞ぐ開閉手段及び施錠手段がなされた開閉扉が取り付けられるので、雨が降り続く悪条件下で接続されても前記光コネクタが水濡れすることはなく、少々の積雪や水害による冠水があったとしても接続部に支障を来すことがない。また、管理下に無いときには開口部が施錠されて使われなくするので、悪戯などによる通信妨害を受けることがない。
【０００８】
また、その地点標には少なくとも太陽電池パネルが取り付けられるので、特に災害時に停電が発生したときなどには、太陽光発電で発生する電力を有効に利用して通信することが出来る。
【０００９】
即ち、前記中空支持体には、前記太陽電池パネルの発生電力を蓄電する蓄電装置と、当該蓄電装置に蓄えられた電力を使って昼夜または夜間に自発光させる発光部とが具備されるとよい。係る発光部としては、例えば前記中空支持体の上端に透光性のセルが被せられ、そのセルの中にＬＥＤや蛍光ランプなどの発光体が外方に向けて組み込まれて点灯または明滅可能となされ、太陽電池パネルから発生する電力を蓄えて発光体を光らせることによって、地点標の存在を遠方からでも、また悪天候下でも認識することができる。この自発光する色が緑や青など周辺にない特殊色に発光するようになされたり、回転灯機能や点滅周期を考慮することによって、視認効果がより高まめられる。
【００１０】
また前記発光部は、ルート標識などの文字又は記号が発光部表面に描出された内照式標識であるとよい。前記発光部は、例えば透光性セルの表面に国道や県道などのルートナンバー標示が描かれ、その透光性セルに内設されたＬＥＤや蛍光ランプなどのバックライトによってルートナンバー標示が明るく描出されることにより、日常通行するドライバーや歩行者が、一定間隔に設置された地点標の位置と路線確認を容易にし、緊急災害時には、速やかに地点標を発見して情報通信するなどの対応ができるようになる。
【００１１】
更に、前記中空支持体内に、蓄電装置から出力する電力をＡＣ１００Ｖに変換させる制御部と、該制御部を介してＡＣ１００Ｖ電源が採り出せる電源コンセント、及び／又は商用電源が導かれてＡＣ１００Ｖ電源が採り出せる電源コンセントが具備されると共に、当該電源コンセントの接続部に対向する前記中空支持体の壁面に外部からの接続を抑制可能な電源蓋が取り付けられるとよい。
【００１２】
即ち、本発明の地点標からＡＣ１００Ｖ電源が採り出すことができると、可搬局と接続して光通信する際に、情報通信機器などに電力を供給することができるので、重い蓄電装置を携行する必要が無くなる上、災害時など応急的に照明や動力などの電源を必要とする場合でも、この電源から容易に電力を供給出来るようになる。特に停電が発生して商用電源が使えなくなるときでも、蓄電された電力を一時的に情報通信機器などに利用することができる。また、この１００Ｖ電源が不特定多数に勝手に使われないよう、通常は電源蓋で遮蔽してカギが掛けられる構造になされる。
【００１３】
【発明の実施の形態】
次に、本発明の実施の形態について図面を参照し、具体的に説明する。まず図１は本発明の実施の一形態を示す設置斜視図であり、図２は図１の側面図（イ）と、正面図（ロ）である。図３は本発明の光コネクタに可搬局を接続する部分の拡大断面図である。
【００１４】
まず、図１及び図２について詳しく説明する。図１は本発明の実施の一形態を示す地点標の設置斜視図であり、路側に沿って一定距離を置いて立設される三角柱型中空支持体１であって、その中空支持体１の上方側面に基準地点から設置地点までの距離などを表す地点標示板１１が貼り付けられて、その路線を利用する人または道路管理者に所在地点を知らせるようになされたものである。
【００１５】
そして地点標の中空支持体１内には、地下に埋設されて張り巡らされている光通信網の終端部２が取り出され、その終端部２に光コネクタ２１が光通信可能に結線されて中空支持体内に固定されている。この光コネクタ２１は、携行して光通信を授受することのできる可搬局３のプラグ３１と接続し易くするために、またその接続部が雨水に濡れて通信出来なくならないようにするために、前記光コネクタ２１の接続部に面する前記中空支持体１の壁面が穿設されて開口部１２が形成され、その開口部１２に開口部を跨いで可搬局３のプラグ３１が中空支持体内で前記光コネクタ２１と接続された状態又は、接続しないときでも前記開口部を塞ぐことができる開閉扉１３がカギ付きで取り付けられている。
【００１６】
また、前記中空支持体１の日光の当たる壁面に太陽電池パネル４が取り付けられ、前記中空支持体１に内蔵された蓄電装置５と電気的につながれ、太陽電池パネル４で発生した電力を蓄えるようになされている。また中空支持体１の上端には、透光面６１を有する内照式標示部６が形成され、その内照式標示部６の中に発光体６２が取り付けられて、前記蓄電装置５の電力によって発光するようになされている。そしてこの透光面６２には例えば地点標が設置される路線の国道や県道などのルートナンバー６３が標示されて、夜間または昼夜に亘って前記発光体６２をバックライトに明るくルートナンバー６３を表出させるようになされている。この内照式標示部は、必ずしも中空支持体の上端に取り付けられなくてもよく、例えば中空支持体中腹の車道面を向く一面にのみ形成されても構わない。
【００１７】
更に、前記蓄電装置５に制御部７が結線されて蓄電装置５に蓄えられた電力をＡＣ１００Ｖに変換させ、中空支持体１内に取り付けられた電源コンセント８からＡＣ１００Ｖ電源が採り出し可能になされている。また必要に応じて商用電源を地点標に取り込んで、電源コンセントからＡＣ１００Ｖ電源として取り出せる構造になされてもよい。そして、その電源コンセント８の取り出し部が対向する中空支持体の壁面に、カギ付き電源蓋１４が設けられて、不特定多数の人が使用出来ないようにし、必要なときに通信が補償される状態を保つ構造になされている。
【００１８】
なお、太陽電池パネル４が取り付けられる中空支持体１の壁板及びその周辺の壁面材料が透光板１５で形成され、両面発電仕様の太陽電池パネル４がこの透光板の１面または２面に取り付けられているので、直接太陽電池パネルに当たる太陽光と、太陽電池パネルの取り付けられていない面の透光板を透過して前記太陽電池パネルの背面側に当たる太陽光によって、より多くの電力を発生させるようにしている。従って設置される方角に限定されることなく充電させることができる。図１に示す太陽電池パネルは地点標の下方に取り付けられているが、地点標を背高く形成させて、その上方に太陽電池パネルが形成されるようになされてもよい。それによって日照や汚れ防止が出来るので、より効率よく発電できる。
【００１９】
次に本発明の光コネクタが可搬局のプラグに接続される接続部構造について、図３に沿って詳しく説明する。
中空支持体１内に取り付けられたＬ型光コネクタ２１の一端が、地下から取り出された光通信網の終端部２と光通信可能につながれている。そして、この光コネクタ２１の他端が対向する前記中空支持体の壁面に開閉扉１３が設けられ、中空支持体内で光コネクタ２１に可搬局３のプラグ３１が接続できるようにしている。
【００２０】
かかる開閉扉１３は、上下に観音開きする上開き扉１３ａと下開き扉１３ｂとで構成され、プラグ３１が光コネクタ２１に接続された状態では、下開き扉１３ｂはプラグ３１の下面に近接して閉じられ、上開き扉１３ａは前記プラグ３１の胴部が扉から貫通できるように上開き扉の下端部が切り欠かれて、下開き扉の上端部を噛んで閉じられるようにしている。またプラグ３１が光コネクタ２１に接続されない状態では、上開き扉１３ａの切り欠き部を内面から補完する小扉１３ｃが下開き扉１３ｂの端縁に外方向に回動自在に取り付けられていて、下開き扉１３ｂと前記小扉１３ｃを跳ね上げた状態で上開き扉１３ａが閉じられたときに、上開き扉１３ａの切り欠き部が前記小扉１３ｃによって閉じられるようになされている。
【００２１】
かようにして、プラグ３１が光コネクタ２１に接続されて光通信がなされると、小扉１３ｃが下開き扉１３ｂの前面に垂れ下がって開口部１２がふさがれ、プラグ３１が光コネクタ２１に接続されない通常の状態では、開口部１２が全てふさがって閉じられるため、いずれの状態においても開口部が閉じて使用させるので、雨水が入り込まない。また上開き扉１３ａには開閉を規制するカギ１３ｄが取り付けられているので、上開き扉１３ａを閉じて施錠することによって、開口部１２を開くことが出来なくすることができる。
【００２２】
以上のことから、可搬局のプラグが接続されるときには、その接続部が中空支持体の中に収まり、且つ開口部がふさがれるので、接続部に雨水が掛かかったり、水濡れすることによって光通信に影響を及ぼすようなことが起こらない。また、管理下に無いときはカギが掛けられているので、悪戯によって通信接続部などに支障を来す事態は避けられる。
【００２３】
【発明の効果】
本発明の地点標は、中空支持体の側面に太陽電池パネルを取り付けて電力を発生させ、その中空支持体の外面に発光体を設けて蓄電装置を内蔵、配線させることによって、発生する電力を蓄電装置に蓄え、昼夜又は夜間に発光体を自発光させることができるので、夜間また荒天時の見通しの悪いときでも、容易に地点標の位置を発見することができる。またその地点標は路線の一定間隔毎に設置されるものであり、それに情報コンセントが取り付けられるので、設置の目安になる。よって、緊急災害時などには目ざとく見つけて手早く光通信が始められる。また、蓄電装置に充電された電力を制御部によってＡＣ１００Ｖに変換し、電源コンセントから１００Ｖ電源が採れるので、情報通信機器などに電力を供給することができ、また緊急災害時などで停電になっても、蓄積された電力で応急的に照明や通信機器に利用することが出来る。よって、災害現場からリアルタイムに画像情報などを送受信して適切な対処がとれる。
尚、可搬局のジャックは地点標内に設けられた光コネクタに接続され、その接続部の開閉扉は通信中であろうが無かろうが、密閉され且つ鍵が掛けられるので、雨水が入り込んで通信に障害を来したり、或いは悪戯によって施設を壊されることも起こらない。
【図面の簡単な説明】
【図１】本発明の実施の一形態を示す設置斜視図である。
【図２】本発明の実施の一形態を示す図１の側面図（イ）と、正面図（ロ）である。
【図３】本発明の実施の一形態の光コネクタに可搬局を接続する部分の拡大断面図である。
【符号の説明】
１    中空支持体
１１    地点標示板
１２    開口部
１３    開閉扉
１３ａ  上開き扉
１３ｂ  下開き扉
１３ｃ  小扉
１３ｄ  カギ
１４    電源蓋
１５    透光板
２      光通信網の終端部
２１    光コネクタ
３      可搬局
３１    ジャック
４      太陽電池パネル
５      蓄電装置
６      内照式標示部
６１    透光面
６２    発光体
６３    ルートナンバー
７      制御部
８      電源コンセント
【図１】
0003857043.tif 000002
【図２】
0003857043.tif 000003
【図３】
0003857043.tif 000004